(57)【特許請求の範囲】
【請求項１】
それぞれのキャリアブロックが、少なくとも一つの他のキャリアブロックと結合されている、複数のキャリアブロックと、
それぞれのラジエータが、前記複数のキャリアブロックのうち少なくとも一つと接続されている、一つまたはそれ以上のラジエータと、
を含み、
前記一つまたはそれ以上のラジエータのうち第１ラジエータの少なくとも一部分が、前記複数のキャリアブロックのうち第１キャリアブロックに接続されており、かつ、
前記一つまたはそれ以上のラジエータのうち第２ラジエータの少なくとも一部分が、前記複数のキャリアブロックのうち第２キャリアブロックに接続されており、
前記第１キャリアブロックは、
第１表面と、
前記第１表面の反対側で、前記第１表面とは異なる表面領域を有する第２表面と、
前記第１表面と前記第２表面を接続している第３表面と、
前記第３表面の反対側で、前記第１表面と前記第２表面を接続している中間レイヤと、
を含み、
前記第２キャリアブロックは、コンベックス状の丸みを帯びた表面、および、前記コンベックス状の丸みを帯びた表面の反対側にコーンケイブ状の丸みを帯びた表面、を有し、
前記第１ラジエータは、前記中間レイヤに取付けられており、
前記第２ラジエータは、前記コンベックス状の丸みを帯びた表面に取付けられており、
前記第１キャリアブロックと前記第２キャリアブロックは結合されて、内側部分と外側部分を形成し、
前記中間レイヤは、前記内側部分において、階段状に構成された複数の表面を含んでいる、
アンテナ。
【請求項２】
前記一つまたはそれ以上のラジエータのうち少なくとも一つのラジエータは、複数のラジエータブランチを含み、かつ、
それぞれのラジエータブランチは、異なる周波数帯の中で動作するように構成されている、
請求項１に記載のアンテナ。
【請求項３】
前記一つまたはそれ以上のラジエータのうち少なくとも一つが、前記一つまたはそれ以上のラジエータのうち別のラジエータと電気的に接続されている、
請求項１に記載のアンテナ。
【請求項４】
前記第１キャリアブロックと前記第２キャリアブロックは、平行に整列されており、かつ、
前記第１キャリアブロックの長さは、前記第２キャリアブロックの長さと同一または類似である、
請求項１に記載のアンテナ。
【請求項５】
前記第１キャリアブロックは、複数の平坦面を含み、
前記第２キャリアブロックは、複数の平坦面を含み、
前記第２キャリアブロックは、前記第１キャリアブロックに関して整列された位置にあり、
前記一つまたはそれ以上のラジエータは、さらに、第３ラジエータを含み、
前記複数のキャリアブロックは、さらに、第３キャリアブロックを含み、
前記第３ラジエータの少なくとも一部分は、前記第３キャリアブロックに接続され、
前記第３キャリアブロックは、複数の曲面を含み、
前記第３キャリアブロックは、前記第２キャリアブロックに関して整列された位置にあり、かつ、
前記第１ラジエータ、前記第２ラジエータ、および、前記第３ラジエータは、電気的に接続され、異なる周波数帯において動作する、
請求項１乃至４いずれか一項に記載のアンテナ。
【請求項６】
スプリングフィンガー、ネジ、ポゴピン、または、これらのあらゆる組合せを介して、前記ラジエータが電気的に接続されている、
請求項１乃至５いずれか一項に記載のアンテナ。
【請求項７】
前記キャリアブロックは、物理的、化学的、または、その両方で、結合されている、
請求項１乃至６いずれか一項に記載のアンテナ。
【請求項８】
前記一つまたはそれ以上のラジエータは、前記複数のキャリアブロックのうち少なくとも２つを接続するように構成されている、
請求項１乃至７いずれか一項に記載のアンテナ。
【請求項９】
アンテナを含む電子通信機器であって、
前記アンテナは、
それぞれのキャリアブロックが、少なくとも一つの他のキャリアブロックと結合されている、複数のキャリアブロックと、
それぞれのラジエータが、前記複数のキャリアブロックのうち少なくとも一つと接続されている、少なくとも一つのラジエータと、
を含み、
前記少なくとも一つのラジエータは、第１ラジエータおよび第２ラジエータを含み、
前記複数のキャリアブロックは、第１キャリアブロックおよび第２キャリアブロックを含み、
前記第１ラジエータの少なくとも一部分が、前記第１キャリアブロックに接続されており、かつ、
前記第２ラジエータの少なくとも一部分が、前記第２キャリアブロックに接続されており、
前記第１キャリアブロックは、
第１平坦面と、
前記第１平坦面の反対側で、前記第１平坦面とは異なる表面領域を有する第２平坦面と、
前記第１平坦面と前記第２平坦面を接続している第３平坦面と、
前記第３平坦面の反対側で、前記第１平坦面と前記第２平坦面を接続している中間レイヤと、
を含み、
前記第２キャリアブロックは、コンベックス状の丸みを帯びた表面、および、前記コンベックス状の丸みを帯びた表面の反対側にコーンケイブ状の丸みを帯びた表面、を有し、
前記第１ラジエータは、前記中間レイヤに取付けられており、
前記第２ラジエータは、前記コンベックス状の丸みを帯びた表面に取付けられており、
前記第１キャリアブロックと前記第２キャリアブロックは結合されて、内側部分と外側部分を形成し、
前記中間レイヤは、前記内側部分において、階段状に構成された複数の平坦面を含んでいる、
電子通信機器。
【請求項１０】
前記少なくとも一つのラジエータは、一つのラジエータを含み、
前記ラジエータは、複数のラジエータブランチを含み、かつ、
それぞれのラジエータブランチは、異なる周波数帯の中で動作するように構成されている、
請求項９に記載の電子通信機器。
【発明の詳細な説明】
【技術分野】
【０００１】
本発明は、電子デバイスのためのマルチレイヤ３次元アンテナキャリア構成に関する。
【０００２】
本特許出願は、２０１２年９月１８日付の米国特許出願第１３／６２２１３４号に基づく優先権を主張するものである。タイトルは”Ｍｕｌｔｉ  Ｌａｙｅｒ  ３Ｄ  Ａｎｔｅｎｎａ  Ｃａｒｒｉｅｒ  Ａｒｒａｇｅｍｅｎｔ  ｆｏｒ  Ｅｌｅｃｔｒｏｎｉｃ  Ｄｅｖｉｃｅｓ”であり、その全体が再現されるかのように、ここにおいて参照として包含されている。
【背景技術】
【０００３】
最新の無線通信システムでは、電子デバイスの広範なバラエティにおいて、ラジオ信号（ｒａｄｉｏ  ｓｉｇｎａｌ）を送信および受信するためにアンテナが使用されている。電子デバイスは、携帯電話、パーソナルデジタルアシスタント（ＰＤＡ）、無線ルータ、ハンドヘルドタブレット、ラップトップ、等といったものである。アプリケーションに応じて、アンテナは、種々の周波数帯においてラジオ波形を送信および受信することができる。例えば、携帯電話は、８５０メガヘルツ（ＭＨｚ）、９００ＭＨｚ、１８００ＭＨｚおよび１９００ＭＨｚといった特定のセルラー周波数において、基地局との無線通信を具現化するためにアンテナを使用し得る。無線ルータ、携帯電話は、２４００ＭＨｚおよび５０００ＭＨｚといったＷｉ−Ｆｉ周波数において通信するためにアンテナを使用し得る。事実、より多くの機能性（例えば、全地球測位システム（ＧＰＳ）、無線ローカルエリアネットワーク（Ｗｉ−Ｆｉ）、ブルートゥース（登録商標）、移動体通信、等）が、今や、スマートフォンといった単一のポータブル電子デバイスの中に統合されている。結果として、単一デバイスの中に組み入れられる必要がある周波数の数がいっそう増加している。一方、ポータブル電子デバイスのサイズは固定され、または、低減している。このことは、今度は、一つまたはそれ以上のアンテナが収容される利用可能なスペースについて厳しい制限を課すものである。従って、アンテナ設計者にとっては、制限されたアンテナ用スペースをより効率的に利用する改善されたアンテナ構造を提供することが望ましい。
【発明の概要】
【発明が解決しようとする課題】
【０００４】
制限されたアンテナ用スペースをより効率的に利用する改善されたアンテナ構造を提供すること。
【課題を解決するための手段】
【０００５】
一つの実施例において、本発明開示は、アンテナを含んでいる。アンテナは、それぞれのキャリアブロックが少なくとも一つの他のキャリアブロックと結合されている複数のキャリアブロックと、それぞれのラジエータが複数のキャリアブロックのうち少なくとも一つと接続されている一つまたはそれ以上のラジエータと、を含む。
【０００６】
別の実施例において、本発明開示は、アンテナを含んでいる。アンテナは、それぞれのキャリアブロックが少なくとも一つの他のキャリアブロックと結合されている複数のキャリアブロックと、複数のキャリアブロックのうち少なくとも２つと接続されているラジエータと、を含む。
【０００７】
さらに別の実施例において、本発明開示は、アンテナを含んでいる。アンテナは、それぞれのアンテナキャリアが少なくとも一つの他のアンテナキャリアと物理的、化学的、または、その両方で結合されている複数のアンテナキャリアと、複数のアンテナキャリアのうち少なくとも一つと接続されている少なくとも一つのラジエータと、を含む。
【０００８】
さらに別の実施例において、本発明開示は、アンテナを含む電子通信機器を含んでいる。アンテナは、内側部分と外側部分を含むキャリアであり、内側部分と外側部分のそれぞれは少なくとも一つの表面を有するキャリアと、キャリアに結合されたラジエータであり、ラジエータの少なくとも一部分が前記内側部分の上に延びているラジエータと、を含む。
【０００９】
これら及び他の特徴は、添付の図面と特許請求の範囲と併せて理解される以降の詳細な説明から、より明確に理解されるであろう。
【図面の簡単な説明】
【００１０】
この発明開示をより完全に理解するために、これから簡単な説明が参照される。添付の図面および詳細な説明と併せて理解されるものであり、類似の参照番号は類似のパーツを表している。
【図１】図１は、インバートＦ（ｉｎｖｅｒｔｅｄ−Ｆ）アンテナ（ＩＦＡ）のプロトタイプの画像である。
【図２Ａ】図２Ａは、アンテナキャリアの一つの実施例に係る斜視図である。
【図２Ｂ】図２Ｂは、アンテナキャリアの一つの実施例に係る斜視図である。
【図２Ｃ】図２Ｃは、アンテナキャリアの一つの実施例に係る斜視図である。
【図３】図３は、キャリアブロックの一つの実施例に係る斜視図である。
【図４】図４は、キャリアブロックとラジエータを含むアンテナの一つの実施例に係る斜視図である。
【図５Ａ】図５Ａは、第１キャリアブロック、第２キャリアブロックおよびラジエータを含むアンテナの一つの実施例に係る斜視図である。
【図５Ｂ】図５Ｂは、第１キャリアブロック、第２キャリアブロックおよびラジエータを含むアンテナの一つの実施例に係る斜視図である。
【図５Ｃ】図５Ｃは、第１キャリアブロック、第２キャリアブロックおよびラジエータを含むアンテナの一つの実施例に係る斜視図である。
【図６Ａ】図６Ａは、スプリングフィンガーを介する電気接続スキームの一つの実施例に係る一つまたはそれ以上のパーツの斜視図である。
【図６Ｂ】図６Ｂは、スプリングフィンガーを介する電気接続スキームの一つの実施例に係る一つまたはそれ以上のパーツの斜視図である。
【図６Ｃ】図６Ｃは、スプリングフィンガーを介する電気接続スキームの一つの実施例に係る一つまたはそれ以上のパーツの斜視図である。
【図６Ｄ】図６Ｄは、スプリングフィンガーを介する電気接続スキームの一つの実施例に係る一つまたはそれ以上のパーツの斜視図である。
【図６Ｅ】図６Ｅは、スプリングフィンガーを介する電気接続スキームの一つの実施例に係る一つまたはそれ以上のパーツの斜視図である。
【図６Ｆ】図６Ｆは、スプリングフィンガーを介する電気接続スキームの一つの実施例に係る一つまたはそれ以上のパーツの斜視図である。
【図６Ｇ】図６Ｇは、スプリングフィンガーを介する電気接続スキームの一つの実施例に係る一つまたはそれ以上のパーツの斜視図である。
【図７Ａ】図７Ａは、ネジを介する電気接続スキームの一つの実施例に係る一つまたはそれ以上のパーツの斜視図である。
【図７Ｂ】図７Ｂは、ネジを介する電気接続スキームの一つの実施例に係る一つまたはそれ以上のパーツの斜視図である。
【図７Ｃ】図７Ｃは、ネジを介する電気接続スキームの一つの実施例に係る一つまたはそれ以上のパーツの斜視図である。
【図８Ａ】図８Ａは、ポゴピンを介する電気接続スキームの一つの実施例に係る一つまたはそれ以上のパーツの斜視図である。
【図８Ｂ】図８Ｂは、ポゴピンを介する電気接続スキームの一つの実施例に係る一つまたはそれ以上のパーツの斜視図である。
【図８Ｃ】図８Ｃは、ポゴピンを介する電気接続スキームの一つの実施例に係る一つまたはそれ以上のパーツの斜視図である。
【図８Ｄ】図８Ｄは、ポゴピンを介する電気接続スキームの一つの実施例に係る一つまたはそれ以上のパーツの斜視図である。
【図９Ａ】図９Ａは、ビサイドヘッドライトサイド（ＢＨＲ）使用事例でテストされたプロトタイプアンテナの斜視図的な画像である。
【図９Ｂ】図９Ｂは、ビサイドヘッドライトサイド（ＢＨＲ）使用事例でテストされたプロトタイプアンテナの斜視図的な画像である。
【図９Ｃ】図９Ｃは、ビサイドヘッドライトサイド（ＢＨＲ）使用事例でテストされたプロトタイプアンテナの斜視図的な画像である。
【図１０Ａ】図１０Ａは、ハンドライト（ＨＲ）使用事例でテストされたプロトタイプアンテナの画像である。
【図１０Ｂ】図１０Ｂは、ハンドライト（ＨＲ）使用事例でテストされたプロトタイプアンテナの画像である。
【図１１Ａ】図１１Ａは、アンテナの一つの実施例に係る一つまたはそれ以上のパーツの斜視図である。
【図１１Ｂ】図１１Ｂは、アンテナの一つの実施例に係る一つまたはそれ以上のパーツの斜視図である。
【図１１Ｃ】図１１Ｃは、アンテナの一つの実施例に係る一つまたはそれ以上のパーツの斜視図である。
【図１１Ｄ】図１１Ｄは、アンテナの一つの実施例に係る一つまたはそれ以上のパーツの斜視図である。
【図１１Ｅ】図１１Ｅは、アンテナの一つの実施例に係る一つまたはそれ以上のパーツの斜視図である。
【図１２Ａ】図１２Ａは、キャリアと少なくとも一つのラジエータを含むアンテナの一つの実施例に係る側面図である。
【図１２Ｂ】図１２Ｂは、キャリアと少なくとも一つのラジエータを含むアンテナの一つの実施例に係る側面図である。
【発明を実施するための形態】
【００１１】
一つまたはそれ以上の実施例に係る説明的な実施が以降に提供されるが、開示されるシステム及び/又は方法は、現在知られているか又は現存するかのいずれでも、あらゆる数の技術を使用して実施され得ることが、最初に理解されるべきである。本発明開示は、ここにおいて示され説明される典型的なデザインおよび実施を含む、以下に示される説明的な実施、図面、および、技術に限定されることが全くないべきである。しかし、それらの均等物の全範囲と共に、添付の特許請求の範囲内において変形され得るものである。図面は、縮尺で描かれることを要しない。実施例の所定の特徴は、縮尺において強調され、または、いくらか模式的な形式で示されてよい。そして、従来のエレメントに係るいくつかの詳細は、明確化と簡略化のために示されなくてよい。
【００１２】
無線通信を要する電子デバイスにおいては、電磁波を送信および受信するためのラジオトランシーバと併せてアンテナが使用され得る。使用において、アンテナは、少なくとも一つのラジエータとアンテナキャリアを含んでいる。ラジエータは、銅、銀、金、および、他の金属等といった、伝導性材料の薄いフィルムの形式であってよい。ラジエータは、また、所定の形状の一つまたはそれ以上のラジエータブランチ（またはトレース）の中にルート化（またはパターン化）されてよい。アンテナは、ラジオ信号を送信及び/又は受信するために、ラジエータから生成される共振電流を利用することができる。さらに、アンテナによって受信されたラジオ信号及び/又はアンテナからの出力は、ラジエータを、トランシーバに接続されているフィードラインに接続することによって実施されてよい。アンテナキャリアは、非伝導性材料からなり、ラジエータのための支持サブストレートまたはプラットフォームとして機能し得る。使用において、アンテナキャリアは一つまたはそれ以上のキャリアブロックを含んでよい。
【００１３】
アンテナの動作周波数帯は、ラジエータブランチの形状（例えば、長さ）といった数多くのパラメータによって決定され得る。例えば、より長いラジエータブランチはより低い周波数帯を導き、そして、より短いラジエータブランチは、より高い周波数帯を導き得る。図１は、インバートＦ（ｉｎｖｅｒｔｅｄ−Ｆ）アンテナ（ＩＦＡ）１００のプロトタイプの画像であり、アンテナキャリア１３０によって支持された第１アンテナブランチ１１０および第２アンテナブランチ１２０を含んでいる。説明目的のために、２つのブランチのおおよそのルート化されたトレースが、黒色の破線でマーク付けされている。図１に示すように、第１アンテナブランチ１１０は、比較的に短かく、従って、より高い周波数帯（例えば、１８００ＭＨｚまたは１９００ＭＨｚ）において動作し得る。第２アンテナブランチ１２０は、比較的に長く、従って、より低い周波数帯（例えば、７００ＭＨｚ、８５０ＭＨｚまたは９００ＭＨｚ）において動作し得る。
【００１４】
実際には、ラジエータブランチは、アンテナキャリア１３０の表面上に存在してよい。アンテナキャリアは、ラジエータのための支持プラットフォームとして役に立つ。単一のポータブル電子デバイスの中に統合されたより多くの機能性（または特徴）に対する顧客の要求に適合するために、ポータブル電子デバイスの一つまたはそれ以上のアンテナは、増加している数量の周波数帯を組み入れる必要がある。アンテナのデザインにおいて、例えば、アンテナキャリアの表面上に長さの異なるラジエータブランチをより多くルート化することによって、より大きな周波数帯を達成することができる。現在は、アンテナキャリアの外側（または外部）表面だけがラジエータブランチをパターン化するために使用されている（例えば、図１におけるアンテナキャリア１３０）。従って、アンテナキャリアの現在のデザインに関しては潜在的な制約または問題が存在し得る。より多くのアンテナブランチが、制限されたアンテナスペース（またはボリューム）の中で、大きな表面領域をカバーするので、アンテナキャリアの全表面領域は、要求される全ての周波数帯を包含するには不十分である。今日のポータブル電子デバイスは、より多くの機能性を統合している一方でサイズが小さくなっているので、許容されるアンテナスペースは、既に小さいものではあるが、さらに減少している。さらに、電子デバイスのアグレッシブな工業デザイン（ＩＤ）は、丸みを帯びた（ｒｏｕｎｄｅｄ）滑らかな表面（例えば、図１におけるアンテナキャリア）といった、アンテナキャリア上の特別な特徴を採用し、そのことは、全表面領域をより一層削減している。
【００１５】
ここにおいて開示されるのは、所与のアンテナスペースのより効率的な使用を提供する一つまたはそれ以上のアンテナキャリアブロックを含んでいるアンテナである。開示されるアンテナの一つまたはそれ以上のキャリアブロックは、あらゆる好適な３次元（３Ｄ）形状を有しており、かつ、開示されるアンテナの全表面領域が従来のアンテナキャリアと比較して増加し得るような方法で結合されている。キャリアブロックは、一つまたはそれ以上のラジエータを支持している。ラジエータは、キャリアブロックのあらゆる表面上にルート化され得るが、それによって、アンテナの中に統合される周波数帯の数量を増加している。一つの実施例において、第１キャリアブロックは、上面（またはフェイス）、上面とは異なる領域を伴う下面、および、それらの間の一つまたはそれ以上の中間レイヤ（または表面）を含んでいる。加えて、第２キャリアブロックは、ＩＤ仕様に準じる、アーク形状のコンベックス（ｃｏｎｖｅｘ）およびコーンケイブ（ｃｏｎｃａｖｅ）表面を含んでいる。第１キャリアブロックおよび第２キャリアブロックは、所与のアンテナスペースの効率的な使用を具現化するために、あらゆる相対的位置において結合されてよい。一つまたはそれ以上のラジエータは、第１キャリアブロック及び/又は第２キャリアブロックのあらゆるフェイス上（表面、またはレイヤ）にルート化され得る。結果として、開示されるようにアンテナは、制限されたアンテナスペースをより効率的および効果的に利用することができ、アンテナボリュームの小型化、及び/又は、より多くの周波数帯の取込みをもたらし得る。キャリアは、内側部分と外側部分を有する比較的複雑なキャリアであってよく、ラジエータの一部分は、内側部分の上に延びてよい。さらに、アプリケーションに応じて、所定の周波数帯のラジエータブランチが、キャリアブロックの所定の領域上にルート化されてよい。アンテナ性能が、所定の使用事例のために最適化され得るようにである。ここにおいて使用されるように、「上」、「下」、「前」、「後」、「左」および「右」、または、相対的な位置を示す他のあらゆる用語は、参照される斜視図に関するものであり、かつ、デバイスがただ一つの方向に限定されることを暗に意味するものではない。
【００１６】
図２Ａ−図２Ｃは、アンテナキャリア２００の一つ実施例の斜視図を示している。アンテナキャリア２００は、第１キャリアブロック２１０と第２キャリアブロック２２０を含んでおり、それぞれが任意の３Ｄ形状を有し得る。用語「ブロック」は、ここにおいて、他のオブジェクトから分離したオブジェクトまたはエンティティを示しており（少なくとも、そのオブジェクトが最初に制作された時点において）、従って、オブジェクトの単なるセクションまたは部位（例えば、任意に定められる左セクションまたは右セクション）がブロックとしてみなされるものではない。実際に、キャリアブロックの形状は、長方形ブロックと比較して、より大きな全表面領域が創造されるようにデザインされ得る。例えば、図２Ａと図２Ｂに示されるように、第１キャリアブロック２１０は、左表面（またはフェイス）２１１、右表面２１２、上面２１３、上面２１３とは異なる領域を伴う下面２１４、背面２１５、および、それらの間の中間レイヤ（表面）２１６を含んでいる。一つの実施例に従えば、複数の平坦面２１６は、図２Ａに示されるように、階段状のパターンで構成されてよい。中間レイヤの数量は、アプリケーションに応じたものであってよい。例えば、それぞれ中間レイヤは、第１平坦面と第２平坦面を含んでいる。第１平坦面は、あらゆる角度で第２平坦面と交差してよい。別の実施例において、中間レイヤは、一つまたはそれ以上の曲面を含んでよい。例えば、図２Ａと図２Ｂに示されるように、第１平坦面と第２平坦面はお互いに垂直（または、おおよそ垂直）であってよい。代替的に、上面２１３と下面２１４との間に中間レイヤを有することに代えて、キャリアブロック２１０は、上面２１３と下面２１４を接続している一つまたはそれ以上の傾いたフェイスを含んでよい。キャリアブロック２１０は、平坦面と直線の縁を伴う多面体の形式であってよい。代替的に、キャリアブロック２１０は、一つまたはそれ以上の曲面及び/又は曲線の縁を含んでよい（例えば、図２Ａに示されるように、中間レイヤ２１６の第１平坦面と第２平坦面との間の丸みを帯びた角）。望むのであれば、キャリアブロック２１０は、また、全表面領域を増加するようにデザインされた一つまたはそれ以上の表面特徴（ｓｕｒｆａｃｅ  ｆｅａｔｕｒｅ）を有してよい。例えば、キャリアブロック２１０の一つまたはそれ以上のフェイスは、波形、キャスタレーション、スカロップ、コーンケイブ状の溝、コンベックス状の突出、他のあらゆる特徴、または、これらのあらゆる組合せ、を含み得る。
【００１７】
キャリアブロック２１０は、アンテナでの使用に好適なあらゆる材料からできていてよい。好適な構造的材料は、これらに限定されるわけではないが、プラスチック材料を含んでいる。ポリカーボネイト（ＰＣ）、ポリスチレン（ＰＳ）、ポリエチレンテレフタレート（ＰＥＴ）、アクリロニトリルブタジエンスチレン（ＡＢＳ）、セラミック材料、他のあらゆる好適な材料、および、これらのあらゆる組合せ、といったものである。加えて、キャリアブロック２１０は、あらゆる多様な技術を介して製造されてよい。可能な製造技術は、これらに限定されるわけではないが、押し出し加工、射出成型、ブロー成型、熱成型、回転成型、鋳造、フォーミング、圧縮成型、トランスファー成型、他のあらゆる製造技術、および、これらのあらゆる組合せ、を含み得る。
【００１８】
同様に、第２キャリアブロック２２０も、また、任意の３Ｄ形状を有してよい。一つの実施例において、第２キャリアブロック２２０は、アーク形状のコンベックス表面２１とアーク形状のコーンケイブ表面２２２を含んでよく、図２Ａに示されるように、それらはお互いに平行である。ＩＤ仕様に従って、第２キャリアブロック２２０は、電子デバイスにおいて使用されている従来のアンテナキャリアと同一または類似のものであってよい。第２キャリアブロック２２０は、一般的に、第１キャリアブロック２１０と異なる形状を有してよい。しかしながら、第２キャリアブロック２２０は、第１キャリアブロック２１０と同一または類似の形状を有することが可能である。例えば、両方のキャリアブロックが、単純に長方形ブロックの形状であってよい。別の実施例では、図２Ａに示されるように、両方のブロックは、同一の長さを有するが、異なるパラメータを有してよい。加えて、第２キャリアブロック２２０は、第１キャリアブロック２１０と同一または類似の材料であってよく、かつ、同一または類似の技術を使用して製造されてよい。
【００１９】
第２キャリアブロック２２０は、第１キャリアブロック２１０に対応する位置に配置され得る。第２キャリアブロック２２０は、第１キャリアブロック２１０に関して、あらゆる好適な位置及び/又は方向を有し得る。例えば、図２Ｂに示されるように、第２キャリアブロック２２０は、第１キャリアブロック２１０の中間レイヤをカバーするように整列されてよい。アンテナキャリア２００の外側または外部表面（例えば、表面２１３と２２１）、および、内側または内部表面（例えば、表面２１６と２２２）の両方が有効に利用され得るようにである。ＩＤ仕様は電子デバイスの滑らかな縁にフィットするようにアンテナキャリア上に一つまたはそれ以上の曲がった（例えば、丸みを帯びた）表面を要求し得るので、許容されるアンテナボリュームは長方形ブロックでないことがあることに留意すべきである。アンテナボリュームの制限の中で、キャリアブロックの位置は、ラジエータのルート化に利用可能な全体の表面領域が、全ての必要な周波数帯を取込み、及び/又は、アンテナ性能を改善するために、十分であるような方法で、配置され得る。
【００２０】
第１キャリアブロック２１０と第２キャリアブロック２２０は、あらゆる好適なメカニズムを使用して結合されてよい。例えば、それらは、機械的な結合を促進するために、一つまたはそれ以上の表面上に対応する表面特徴を有してよい。図２Ａに示されてるように、キャリアブロック２１０上の２つの凹んだ穴とキャリアブロック２２０上の２つの突き出している円柱ポスト（またはボス）が、結合のために使用され得る。キャリアブロックの結合は、ラジエータの配置の前または後に発生してよく、一時的または永久的なものでよい。２つの結合されたキャリアブロックの間のスペースには空気または他の媒体（例えば、充填材料、接着剤）が存在してよい。図２Ａ−図２Ｂは、２つのキャリアブロックだけを示しているが、アプリケーションに応じて、アンテナキャリア２００は、２つ以上のキャリアブロックを含んでよいことが理解されるべきである。ここで、それぞれのキャリアブロックは少なくとも一つの他のキャリアブロックに接続されている。キャリアブロック２１０及び/又はキャリアブロック２２０に関する上記の説明は、他のあらゆる追加ブロックに対しても適用することができる。
【００２１】
アプリケーションに応じて、アンテナキャリア及びそのキャリアブロックは、あらゆる好適なサイズまたは寸法を有し得る。図３は、サイズ仕様を用いたキャリアブロック３００の一つの実施例に係る斜視図を示している。説明目的のために、キャリアブロック３００は、全体の長さが６０ｍｍ、下面幅が８．８ｍｍ、上面幅が４．０ｍｍ、上面と下面との間の距離が７．０ｍｍｍであるように構成されている。キャリアブロック３００は、図２Ａ−図２Ｂにおけるキャリアブロック２１０と同様であってよいので、明確化のために同様な態様はこれ以上説明されない。
【００２２】
上述のように、キャリアブロックは、一つまたはそれ以上のアンテナラジエータのための支持サブストレートまたはプラットフォームとして働く。図４は、キャリアブロック４１０とラジエータ４２０を含むアンテナ４００の一つの実施例に係る斜視図である。キャリアブロック４１０は、以前に説明されたキャリアブロックと同一または類似のものであってよい。ラジエータ４２０は、異なるパラメータ（例えば、長さ）をもった一つまたはそれ以上のラジエータブランチを含んでよく、それぞれのラジエータブランチは、異なる周波数帯においてラジオ信号を送信および受信することができる。一つの実施例において、ラジエータ４２０は、図４に示されるように、第１のラジエータブランチ４３０と第２のラジエータブランチ４４０を含んでいる。第１のラジエータブランチ４３０と第２のラジエータブランチ４４０は、電気的に接続されており、共通のフィードラインを共有している。
【００２３】
使用時に、ラジエータ４２０は、キャリアブロック４１０上のあらゆる部分に配置されてよい。例えば、ラジエータ４２０は、キャリアブロック４１０の左面、右面、背面、上面、下面、及び/又は、中間レイヤ上に配置され得る。ラジエータ４２０の一つのラジエータブランチ（例えば、ラジエータブランチ４３０）は、一つの表面に留まってよいし、または、複数の表面を横切ってもよい。一方で、それぞれの表面は、複数のラジエータブランチを含んでよい。望むのであれば、一つまたはそれ以上のラジエータブランチが、キャリアブロック４１０の範囲を超えてルート化（トレース化、またはパターン化）されてよい。例えば、キャリアブロック上のラジエータブランチ部分が、電子デバイスの他の表面上で続いてもよい。背面カバー、バッテリーカバー、ハウジングカバー（Ｂカバーとしてときどき参照されるもの）、他のあらゆる表面、または、これらのあらゆる組合せ、といったものである。さらに、望むのであれば、他の表面上に拡張または継続されたラジエータブランチ部分は、次に、一つまたはそれ以上の他のキャリアブロックに接続され得る。一つの実施例において、ラジエータブランチ４３０は、キャリアブロック４１０上にあらゆる形状（またはパターン）でルート化され得る。ラジエータブランチ４３０の形状は、長さ、幅、厚み、等といった、あらゆる好適なパラメータを有してよく、ラジエータブランチ４３０の長さに沿って、変化しても、または、同一であってもよい。ラジエータブランチ４３０のパラメータをコントロールすることを通じて、あらゆる周波数帯が実施され得る。アプリケーションに応じて、所定の周波数帯に対応するラジエータブランチが、キャリアブロック４１０の表面の特定の領域（た、中間レイヤの中心）に配置されてよい。所定の使用事例のためにアンテナの性能が最適化され得るようにである。
【００２４】
ラジエータ４２０は、あらゆる電気的伝導体でできていてよい。ラジエータ４２０のための好適な構造的材料は、これらに限定されるわけではないが、銅、銀、アルミニュウム、金、クローム、ニッケル、プラチナ、他のあらゆる好適な伝導体、および、これらのあらゆる組合せ、を含み得る。ラジエータ４２０は、あらゆる好適な技術を介して、キャリアブロック４１０上でルート化（配置、または固定）されてよい。ラジエータ４２０の可能性のある制作技術は、これらに限定されるわけではないが、レーザーダイレクトストラクチャリング（ＬＤＳ）、金属スタンピング、フレックスサーキット（ｆｌｅｘ）、他のあらゆる好適な技術、または、これらのあらゆる組合せ、を含み得る。ラジエータ４２０は、キャリアブロック４１０の製造の後（プロセス後）にルート化されてよい、または、キャリアブロック４１０の形成の最中にルート化されてよい。実際に、ラジエータ４２０の一部または全部が、キャリアブロック４１０の外側表面上または上の突き出した構造体であってよい。代替的に、ラジエータ４２０の一部または全部は、キャリアブロック４１０へとエッチングされてよい。
【００２５】
図５Ａ−図５Ｃは、アンテナ５００の一つの実施例に係る斜視図であり、第１キャリアブロック５１０、第２キャリアブロック５２０、および、ラジエータ５３０を含んでいる。第１キャリアブロック５１０（または、第２キャリアブロック５２０）は、図２における第１キャリアブロックといった、上述のキャリアブロックと同一または類似のものであってよい。ラジエータ５３０が、図５Ａに示されるように、第１キャリアブロック５１０および第２キャリアブロック５２０に取り付けられる。例えば、示されるように、ラジエータ５００の第１部分は、第１キャリアブロック５１０上でルート化され、かつ、ラジエータ５００の第２部分が、第２キャリアブロック５２０上でルート化され得る。それぞれのブロック上の一つまたはそれ以上のラジエータブランチは、同一または異なる形状であってよい。第１キャリアブロック５１０上の中間レイヤといった複数の表面を利用することによって、ラジエータ５３０をルート化するために利用可能な全表面領域は、従来のアンテナキャリア(例えば、図１におけるアンテナキャリア１３０)と比較してより大きい。第１キャリアブロック５１０と第２キャリアブロック５２０を含む全体としてのアンテナキャリアについて、アンテナキャリアの内側（または内部）表面が、従来のアンテナによって利用されていた外側（または外部）表面に加えて利用されている。
【００２６】
図５Ｃに示されるように、ラジエータ５３０は、第１接続端末装置５４０を通じてフィードラインに対して、及び/又は、第２接続端末装置５５０を通じてグランドプレーン（ｇｒｏｕｎｄ  ｐｌａｎｅ）に対して接続され得る。使用時には、異なるラジエータブランチが、別個のフィードライン（またはフィーダ）を有してよい。代替的に、ラジエータブランチの一部分または全部が、共通のフィードラインを共有してよい。アンテナ５００がバランスしているかアンバランスであるかに応じて、グランドプレーン（典型的にはプリント回路基板（ＰＣＢ）上に配置されているもの）は、電気的グランドとして、必要でも不要であってもよい。代替的に、いくつかの実施例において、一つのキャリアブロック上の一つまたはそれ以上のラジエータブランチは、別のキャリアブロック上のフィードラインの近傍に配置され得る。それによって、ラジエータブランチとフィードラインとの間に容量性カップリングを形成している。直接の電気的接触と同様に、容量性カップリングにより、また、ラジエータは、所定のタイプのアンテナ（例えば、いくつかのモノポールアンテナ）において、ラジオ信号を送信および受信することができる。
【００２７】
上述のように、アンテナキャリアは、数多くのキャリアブロックを含んでよい。キャリアブロックは、機械的及び/又は電気的に結合（または接続）され得る。図６−図８に関する以降の説明は、２つのキャリアブロックの機械的及び/又は電気的接続の種々の実施例に係るより詳細な理解を提供する。これらの図において、（複数のキャリアブロックを含んでいる）アンテナキャリアと複数のラジエータといった、種々のアンテナコンポーネントは、以前の図において説明された対応するコンポーネントと同一または類似のものであってよい。従って、これのコンポーネントの同様な態様は、興味の明確化のために、さらには説明されない。図６Ａ−図６Ｇは、スプリングフィンガを介する電気接続スキームの一つの実施例に係る一つまたはそれ以上のパーツの斜視図である。図６Ａに示されるように、第１キャリアブロック６１０は、機械的結合を促進するための、表面上に突き出している円柱ポスト（またはスタッド）の数量といった、表面特徴を有している。図６Ｂに示されるように、第１キャリアブロック６１０は、複数のラジエータブランチを含んでいる第１ラジエータ６３０を支持している。同様に、図６Ｃに示されるように、第２キャリアブロック６４０は、曲面上の数多くの穴６５０といった表面特徴を有してよい。図６Ｄに示されるように、第２キャリアブロック６４０は、また、複数のラジエータブランチを含んでいる第２ラジエータ６６０を支持している。加えて、図６Ｅに示されるように、スプリングフィンガー６７０は、第２ラジエータ６６０の一部として含まれてよく、第１キャリアブロック６１０と第２キャリアブロック６４０との間の電気的接続を促進し得る。図６Ｆ−図６Ｇに示されるように、アンテナキャリアの製造の最中に、第１キャリアブロック６１０と第２キャリアブロック６４０は、一緒に組み立てられてよい。
【００２８】
一つの実施例においては、ヒートステーキング（ｈｅａｔ  ｓｔａｋｉｎｇ）（または、熱可塑性ステーキング）のプロセスが使用され、第１キャリアブロック６１０と第２キャリアブロック６４０との間の機械的結合を具現化することができる。ヒートステーキングは、加熱によって生じるコンポーネントの変形を使用して、例えば、プラスチックでできている２つのコンポーネント間の締まりばめを形成する。実際に、突き出している円柱ポスト６２０は、最初に、対応する穴６４０の中にはめ込まれる。次に、柔らかくなったプラスチックのおかげで変形するように、ヒートステーキングが円柱ポスト６２０に適用され得る。変形は、ヘッド構造を形成し、第１キャリアブロック６１０と第２キャリアブロック６４０を一緒に機械的に固定することができる。
【００２９】
アプリケーションに応じて、第１ラジエータ６３０と第２ラジエータ６６０は、同一または異なる周波数帯において機能し得る。更に、望むのであれば、これら２つのラジエータは、スプリングフィンガー６７０によって作られた接触を介して電気的に接続してよい。スプリングフィンガー６７０の機械的な弾性のおかげで、第１キャリアブロック６１０に追加の表面特徴を有することなく、電気的接続が保証される。使用時には、あらゆる好適な３次元形状、サイズ、材料および制作技術が使用されてスプリングフィンガー６７０を実施する。スプリングフィンガーは、はんだ付け、伝導性接着剤、等といった、あらゆる好適な技術を介して、第２ラジエータ６６０に取り付けられ得る。図６Ｄ−図６Ｇは、ただ一つのスプリングフィンガーを示しているが、望むのであれば、２つのキャリアブロックを電気的に接続するために複数のスプリングフィンガーが使用され得ることに留意すべきである。電気的接続の後で、第１ラジエータ６３０と第２ラジエータ６６０は、フィードライン及び/又はグランドプレーンを共有してよい。代替的に、第１ラジエータ６３０のラジエータブランチと第２ラジエータ６６０の別のラジエータブランチは、拡張されたラジエータブランチを形成するように、接続されてよい。
【００３０】
図７Ａ−図７Ｃは、ネジを介する電気接続スキームの一つの実施例に係る一つまたはそれ以上のパーツの斜視図である。図７Ａに示されるように、第１キャリアブロック７１０は、第１ラジエータ７２０を支持し、第１キャリアブロック７１０の表面上には凹んだ穴７３０が形成され得る。さらに、凹んだ穴７３０は、そのポイントにおいて第１ラジエータ７２０を貫通してよい。同様に、図７Ｂに示されるように、第２キャリアブロック７４０は、第２ラジエータ７５０を支持し、貫通穴７６０が、そのポイントにおいて第２ラジエータ７５０を貫いてよい。図７Ｃに示されるように、第１キャリアブロック７３０と第２キャリアブロック７４０は、凹んだ穴７３０が貫通穴７６０と重なり合うように整列され得る。電気的接続を具現化するために、伝導材料でできたネジ７７０が、凹んだ穴７３０と貫通穴７６０の中に押し込み又は巻き込まれる。これによって、第１ラジエータ７２０と第２ラジエータ７５０との間の電気的接触を作っている。使用時に、ネジ７７０は、あらゆる好適なサイズ及び/又は形状であってよく、あらゆる好適な制作技術によってあらゆる好適な材料でできていてよい。一つの実施例において、２つのラジエータ間の電気的接続が必要でない場合、ネジ７７０は、第１キャリアブロック７１０と第２キャリアブロック７４０との間の機械的結合を増強するように、電気的絶縁材料（例えば、プラスチック）でできていてもよい。図７Ｃは、ただ一つのネジを示しているが、望むのであれば、２つのラジエータを電気的に接続するために複数のネジが使用され得ることが理解されるべきである。
【００３１】
図８Ａ−図８Ｄは、ポゴピンを介する電気接続スキームの一つの実施例に係る一つまたはそれ以上のパーツの斜視図である。図８Ａに示されるように、第１キャリアブロック８１０は、第２ラジエータ８２０を支持し得る。同様に、図８Ｂに示されるように、第２キャリアブロック８３０は、第２ラジエータ８４０を支持し得る。さらに、貫通穴８５０が、所定の位置において第２ラジエータ８４０を貫いてよい。図８Ｃに示されるように、第１キャリアブロック８１０と第２キャリアブロック８２０は、近くに整列して配置され得る。電気的接続を具現化するために、貫通穴８５０の数量と等しい数量のポゴピン８６０が使用され得る。図８Ｄに示されるように、伝導材料でできているポゴピン８６０は、貫通穴８５０の中に押し込まれ、第１ラジエータ８２０と第２ラジエータ８４０の両方を接触させる。ポゴピン８６０は、あらゆる好適なサイズ及び/又は形状であってよく、あらゆる好適な制作技術によってあらゆる好適な材料でできていてよい。例えば、ポゴピン８６０は、２つのとがった、スプリングロードされるピンを含んでいる細長い円柱形状であってよい。図８Ｃ−図８Ｄは、２つのポゴピンを示しているが、望むのであれば、２つのラジエータを電気的に接続するために、あらゆる数量のポゴピンが使用され得ることが理解されるべきである。
【００３２】
ここにおいて、図６−８に関して上述された接続スキームに加えて、複数のキャリアブロック間の機械的結合及び/又は電気的接続を具現化するために、あらゆる他の好適なスキームが使用され得ることに留意すべきである。実際に、複数のキャリアブロックは、種々の物理的及び/又は化学的な結合技術によって一時的または永久的に接続され得る。このことは、アンテナ構造の中に追加の材料を導入し、または、しないこともある。例えば、接着剤（例えば、伝導性ペースト、絶縁性のり、等）が、２つのキャリアブロックの対応する表面上に適用され、それらを物理的に一緒に接合する。別の例として、コロナ放電および酸素プラズマといった技術が、追加の材料を導入しないものであるが、２つのキャリアブロックの対応する表面を処理するために使用され得る。対応する表面上の分子が活性化され、２つのキャリアブロック間に化学結合が形成され得る。いくつかの実施例においては、種々の技術が組合わされて、キャリアブロックの物理的及び/又は化学的結合を具現化するために使用され得る。複数のキャリアブロックが、自動的にお互いに取付け又は結合される場合、結合されたブロックは、また、一つの複合キャリアブロックとして参照され得る。
【００３３】
実際に、開示されたアンテナキャリア構造に係る一つの実施例を使用して、幅広い種類のアンテナが実施され得る。可能性のあるアンテナタイプは、これらに限定されるわけではないが、以下のものを含んでよい。ダイポールアンテナ（例えば、ショートダイポール、半波ダイポール、折返しダイポール、ブロードバンドダイポール）、モノポールアンテナ、小ループアンテナ、方形マイクロストリップ（またはピッチ）アンテナ、板状逆Ｆアンテナ（ＰＩＦＡ）、ヘリカルアンテナ、スパイラルアンテナ、スロットアンテナ、キャビティバックスロットアンテナ、逆Ｆアンテナ（ＩＦＡ）、スロットウェーブガイドアンテナ、近距離無線通信（ＮＦＣ）アンテナ、他のあらゆるアンテナ、および、これらのあらゆる組合せ、である。さらに、望むのであれば、異なる機能を実行するために、複数のアンテナが電子デバイスの異なる部分に配置されてよい。複数のアンテナは、同一または異なるタイプのものであってよい。
【００３４】
ここにおいて開示されるラジエータ（例えば、ラジエータ４２０）は、キャリアまたはキャリアブロック（例えば、キャリアブロック４１０)に接続され得る。ラジエータとキャリアブロックとの間の接続は、化学的または機械的なものであってよい。例えば、ラジエータは、当業者にとって既知のあらゆる利用可能な結合技術を介して、キャリアブロックに結合または取付けられてよい。別の例として、ラジエータとキャリアブロックは、一つまたはそれ以上のネジを介してお互いに接続されてよい。
【００３５】
開示されたアンテナキャリア構成に係る一つの実施例を使用して、電子デバイスの一つまたはそれ以上のアンテナの中に、あらゆる有用な無線通信帯が組み込まれ得る。例えば、可能な通信周波数帯は、これらに限定されるわけではないが、以下のものを含んでいる。携帯電話帯（例えば、８５０ＭＨｚ、９００ＭＨｚ、１８００ＭＨｚおよび１９００ＭＨｚ）、ユニバーサルモバイルテレコミュニケーションシステム（ＵＭＴＳ）としても参照される第３世代（３Ｇ）データ通信帯（例えば、バンドＶ、バンドＩＩ、バンドＩ、バンドＶＩＩＩ）、ロングタームエボリューション（ＬＴＥ）帯（例えば、７００ＭＨｚ（バンドＸＩＩ、バンドＸＩＩＩ、バンドＸＶＩＩ）、８００ＭＨｚ（バンドＶ）、１７００ＭＨｚ（バンドＩＶ）、１９００ＭＨｚ（バンドＩＩ）、２１００ＭＨｚおよび２６００ＭＨｚ（バンドＶＩＩ））、Ｗｉ−Ｆｉ（電気電子学会（ＩＥＥＥ）８０２．１１としても参照される）帯（例えば、２．４ＧＨｚと５．０ＧＨｚ）、２．４ＧＨｚにおけるブルートゥース帯、１５７５ＭＨｚＧＨｚにおける全地球測位システム（ＧＰＳ）帯、である。開示されたアンテナキャリア構成は、アンテナキャリアブロックとラジエータブランチの適切な構成を用いて、これらの周波数帯及び/又は他の適切な周波数帯をカバーすることができる。
【００３６】
アンテナの実施の最中に、アンテナ設計者は、プロトタイプ機器を作成して、種々の使用事例の下で性能をテストすることができる。使用事例は、フリースペース（ＦＳ）、ビサイドヘッド（ＢＨ）（ヘッドファントム（ｈｅａｄ  ｐｈａｎｔｏｍ）のみ）、ビサイドヘッドレフトサイド（ＢＨＬ）（ヘッドファントムのみ）、ビサイドヘッドライトサイド（ＢＨＲ）（ヘッドファントムのみ）、ビサイドヘッドとハンドライトサイド（ＢＨＨＲ）（頭とヘッドファントム）および、ハンドライト（ＨＲ）（ヘッドファントムのみ）である。これらの使用事例は、異なる周囲環境におけるアンテナ性能を評価するために、無線キャリアによって指定され得る。アンテナの実際の使用において、アンテナからの放射エネルギは、人間の頭または手といったオブジェクトによって部分的に吸収され得る。加えて、アンテナの周波数帯は、オブジェクトによって離調（ｄｅｔｕｎｅ）され得る。従って、種々の使用事例のテストは、アンテナが商業化される以前の有用なステップであり得る。
【００３７】
図９Ａ−図９Ｃは、ＢＨＲ使用事例でテストされたプロトタイプアンテナ９１０の斜視図の画像である。図９Ａに示されるように、プロトタイプアンテナ９１０がプリント回路基板（ＰＣＢ）９２０に取付けられており、ヘッドファントム９３０の右側に置かれている。このセットアップは、アクティブな会話中の電子通信機器（例えば、携帯電話）をシミュレーションするように構成されている。図９Ｂと図９Ｃは、アンテナ９１０のクローズアップした眺めを示しており、第１ラジエータ９５０を支持している第１キャリアブロック９４０と第２ラジエータ９７０を支持している第２ブロック９６０を含んでいる。ラジエータ９５０は、第１キャリアブロック９４０の複数の表面上にルート化されている。図９Ｂに示されるように、第２のキャリアブロック９６０が第１キャリアブロック９４０に接続されているが、動作位置において完全には整列されていない（別の言葉で言えば、アンテナ９１０はオープンされている）。ラジエータ９５０の一部分は、アンテナ９１０の表面の内側に存在している。図９Ｃに示されるように、第２キャリアブロック９６０は、第１キャリアブロック９４０に関して完全に整列されており（別の言葉で言えば、アンテナ９１０は閉じられている）、第２ラジエータ９７０を見ることができる。
【００３８】
図１０Ａと図１０Ｂは、ハンドライト（ＨＲ）使用事例でテストされたプロトタイプアンテナ９１０の２つの画像を示している。図１０Ａに示されるように、プロトタイプアンテナ９１０は、フォームスペーサによってヘッドファントム１００２から離されている。このセットアップは、人間の手の中にある電子機器（例えば、携帯電話）をシミュレーションするように構成されている。図１０Ｂは、ＰＣＢ９２０の下に置かれた第１キャリアブロック９４０と第２キャリアブロック９６０を伴うアンテナ９１０のクローズアップした側面を示している。開示されたアンテナキャリアによって、ラジエータは、アンテナキャリアの外側表面だけでなく、アンテナキャリアの内側表面にもルート化できるので、それに応じて、取り込まれ得る周波数帯の数量が増加する。さらに、特定の周波数帯において機能しているラジエータブランチは、キャリア表面の所定の領域に配置され得る。所定の使用事例のためにアンテナ性能が最適化されるようにである。例えば、対応するラジエータブランチがヘッドファントムからかなり離れているときに、高周波数帯がより良い放射性能を有するということを、ＨＲ使用事例のテストが明らかにする場合、これらのラジエータブランチは、次に、アンテナキャリアの内側表面上（例えば、第１キャリアブロック９４０の中間レイヤ）でルート化され得る。従って、高周波数帯（例えば、５．０ＧＨｚのＷｉ−Ｆｉ）を使用するポータブル電子機器のために、アンテナの性能が、従来のアンテナと比較して改善され得る。従来のアンテナは、アンテナキャリアの外側表面上だけにルート化されたラジエータブランチを有している。従って、本発明開示によって利用可能となる拡張された表面領域は、アンテナのデザインにおいてより高度な柔軟性を提供することができ、次には、アンテナボリュームの小型化及び/又はアンテナ性能の改善を導き得る。
【００３９】
実際には、アンテナの構成において、あらゆる数量のキャリアブロック及び/又はラジエータが使用されてよい。図１１Ａ−図１１Ｅは、アンテナの一つの実施例に係る一つまたはそれ以上のパーツの斜視図である。図１１Ａに示されるように、アンテナは、第１ラジエータ１１２０を支持している第１キャリアブロック１１１０、第２ラジエータ１１４０を支持している第２キャリアブロック１１３０、第３ラジエータ１１６０を支持している第３キャリアブロック１１５０を含んでいる。説明のために、図１１Ａにおいてはアンテナのパーツが分離して示されており、図１１Ｂ−図１１Ｅにおいて組立ての種々のステージが示されている。それぞれのキャリアブロックは、あらゆる好適な３次元形状を有してよく、上述のキャリアブロックと同一または類似のものであってよい。例えば、第１キャリアブロック１１１０は、２つの類似する端部を有し、中間部分が異なっている。一つの実施例において、第２キャリアブロック１１３０は、図７Ａにおける第１キャリアブロック７１０と同一または類似のものであり、そして、第３キャリアブロック１１５０は、図７Ｂにおける第２キャリアブロック７４０と同一または類似のものであってよい。同様に、アンテナのそれぞれのラジエータは、あらゆる好適な形状であってよく、上述のラジエータと同一または類似のものであってよい。さらに、それぞれのラジエータは、支持しているキャリアブロックのあらゆる表面領域上に存在してよい。例えば、図１１Ｂと図１１Ｃに示されるように、第１ラジエータ１１２０は、第１キャリアブロック１１１０の中間部分の３つの表面上でルート化され得る。
【００４０】
図１１Ｄと図１１Ｅは、完全に組み立てられたアンテナ１１００を示している。使用時に、アンテナのキャリアブロックとラジエータは、機械的及び/又は電気的に一緒に結合され得る。例えば、ラジエータの電気的接続を具現化するように、図１１Ｄに示されるように、第１ラジエータ１１２０と第２ラジエータ１１４０を接続するために第１ネジ１１７０が使用され得る。同様に、第２ラジエータ１１４０と第３ラジエータ１１６０を接続するために第２ネジ１１８０が使用され得る。一つの実施例において、第１ネジ１１７０と第２ネジ１１８０は、図７Ｃにおけるネジ７７０と同一または類似のものであってよい。加えて、アンテナのキャリアブロックは、所与のアンテナスペースが効果的に利用できるように、お互いに関して配置されてよい。例えば、図１１Ｄと図１１Ｅに示されるように、３つのキャリアブロックの長さが揃えられてよい。第１キャリアブロック１１１０は、第２キャリアブロック１１３０によって作り出された空洞の下に配置されてよく、アーク形状の第３キャリアブロック１１５０によってマルチレイヤ表面がカバーされ得る。加えて、一つまたはそれ以上の表面特徴がキャリアブロックの中に取り込まれて、機械的結合を促進する。例えば、図１１Ｅに示されるように、数個のプラスチック製円柱状ポストと穴が、第２キャリアブロック１１３０と第３キャリアブロック１１５０との間の機械的結合を確実にすることができる。
【００４１】
一つの実施例においては、単一のキャリアを有するアンテナを構成するために、複数のキャリアブロックを使用する上記に開示された実施例の多くが使用され得る。そこでは、キャリアが複雑な形状を有し得る。図１２Ａは、アンテナキャリア１２００の一つの実施例に係る側面図を示しており、その表面は、内側部分と外側部分を含んでいる。内側部分と外側部分のそれぞれは、一つまたはそれ以上の表面または平面を含み得る。表面または平面は、平坦面でも曲面でもよい。例えば、キャリア１２００の内側部分は、水平面１２１０、垂直面１２２０、曲面１２３０を含む。数字によってマーク付けされていない他の水平／垂直面と丸みを帯びた角も同様に含んでいる。水平および垂直という用語は、人が図１２を理解するのを手伝うために使用される単に相対的な用語であり、動作における表面の方向を必ずしも示すものではない。一方で、キャリア１２００の外側部分は、水平面１２４０と数字が付いていない他の表面を含んでいる。
【００４２】
内側部分と外側部分を区別するために、表面上の一つのポイントから仮想線を引くことができる。内側部分において、あらゆる表面から描かれる仮想線は、その表面に対して所定の角度（例えば、７０°から１１０°）であるが、外側に向かって（つまり、空気中であって、キャリアの中に向かうのではなく）内側部分の他の表面と交差し得る。例えば、表面１２１０から描かれ、表面１２１０に対して直角（つまり９０°）の線は、表面１２３０と交差し得る。表面１２２０から描かれ、表面１２２０に対して直角（つまり９０°）の線は、表面１２３０と交差し得る。曲面について（例えば、表面１２３０と丸みを帯びた角）、表面から描かれた仮想線は、その仮想線が描かれたポイントにおいて、曲面の接線に対して直角である。例えば、ポイント１２３２において表面１２３０から描かれた線は、表面１２３０の接線に対して垂直である。一方で、アンテナキャリア１２００の外側部分において、あらゆる表面から描かれる仮想線は、その表面に対して所定の角度（例えば、７０°から１１０°）であるが、外側に向かってキャリアの他のあらゆる表面とも交差しない。例えば、表面１２４０から描かれ、表面１２４０に対して直角（つまり９０°）の線は、他のあらゆる表面と交差しない。このようにして、内側部分が、キャリアの表面上の領域として定義され得る。領域では、その領域におけるあらゆるポイントから延びており、その領域に対して垂直な仮想線が、キャリアの表面の別の部分と交差する。さらに、外側部分は、キャリアの表面上の内側部分ではない領域として定義され得る。外側部分の代替的な定義は、キャリアの表面上の領域であって、その領域におけるあらゆるポイントから延びており、その領域に対して垂直な仮想線が、キャリアの表面の別の部分とは交差しない領域である。
【００４３】
図１２Ｂは、アンテナ１２５０の一つの実施例に係る側面図であり、キャリア（例えば、キャリア１２００）と少なくとも一つのラジエータを含んでいる。少なくとも一つのラジエータのいくつか又は全部は、複数のラジエータブランチを含んでよく、異なる周波数帯においてそれぞれ動作している。一つの実施例において、ラジエータの少なくとも一部分は、キャリアの内側部分においてパターン化されてよい。例えば、ラジエータブランチ１２５０の一部分または全部は、表面１２２０上でトレースされ得る。内側部分の他の表面も、また、ラジエータブランチを支持するように構成され得る。加えて、キャリアの外側部分も、また、ラジエータブランチを支持するように構成され得る。例えば、ラジエータブランチ１２７０の一部分または全部は、表面１２４０上でトレースされ得る。当業者であれば、アンテナ１２５０が、本発明開示の趣旨の中で、上述のアンテナと同様にデザインされ、使用され得ることが認識されよう。従って、この単一のキャリアの他の態様は、簡潔のために、さらには説明されない。
【００４４】
アンテナ１２５０において、キャリアは、内側と外側部分を有するので、複雑なデザインであり得る。キャリアを制作し、少なくとも一つのラジエータをトレースするために、あらゆる好適な技術が使用され得る。上述の適用可能な技術が、制作において使用され得る。制作技術の開発と共に、他の技術も、また、開示されたアンテナデザインを具現化するために使用され得る。上述のように、ラジエータ上にパターン化された後で、複数のラジエータブロックが、一緒に取り付けられ又は結合され得る。このように、アンテナ１２５０のキャリアは、複数のキャリアブロックを一緒に取付けた結果物であり得る。
【００４５】
少なくとも一つの実施例が開示され、かつ、当業者によって行われる実施例及び/又は実施例の機能に係る変形、組合せ、及び/又は、変更は、発明開示の範囲内のものである。実施例の機能の組合せ、統合、及び/又は、省略によって結果として生じる代替的な実施例も、また、本発明開示の範囲内にものである。数字的な範囲または制限が明確に述べられている場合、そうした明確な範囲または制限は、明確に述べられた範囲または制限の範囲内にある類似の大きさの反復した範囲または制限を含むものと理解されるべきである（例えば、約１から約１０は、２、３、４等を含み、０．１０より大きいは、０．１１、０．１２、０．１３等を含む）。例えば、下限Ｒｌ、および、上限Ｒｕを用いた数字的な範囲が開示された場合はいつでも、範囲内のあらゆる数字が特定的に開示されたものである。特に、範囲内にある以下の数字が特定的に開示されたものである。Ｒ＝Ｒｌ＋ｋ＊（Ｒｕ−Ｒｌ）で、ｋが、１パーセントずつ増加する１パーセントから１００パーセントの間で可変である場合、つまり、ｋは、１パーセント、２パーセント、３パーセント、４パーセント、７パーセント、・・・、７０パーセント、７１パーセント、７２パーセント、・・・、９５パーセント、９６パーセント、９７パーセント、９８パーセント、９９パーセント、または、１００パーセントである。さらに、２つの数字Ｒによって定義されたあらゆる数字的な範囲も、また、上記に定められるように、特定的に開示される。約（ａｂｏｕｔ）という用語の使用は、特に指定がなければ、連続した数字の＋／−１０パーセントを意味するものである。請求項のあらゆるエレメントに関する用語「任意的（”ｏｐｔｉｏｎａｌｌｙ”）」の使用は、そのエレメントが必要とされること、または代替的に、そのエレメントが必要とされないことを意味するものである。含む、有する（ｃｏｍｐｒｉｓｅ、ｉｎｃｌｕｄｅ、ｈａｖｉｎｇ）といった、より広い用語の使用は、から成る（ｃｏｎｓｉｓｔｉｎｇ  ｏｆ）、本質的に成る（ｃｏｎｓｉｓｔｉｎｇ  ｅｓｓｅｎｔｉａｌｌｙ  ｏｆ）、および、実質的に含む（ｃｏｍｐｒｉｓｅｄ  ｓｕｂｓｔａｎｔｉａｌｌｙ  ｏｆ）といった、より狭い用語に対するサポートを提供するものと理解されるべきである。従って、発明保護の範囲は、上記に提示された記述によって限定されるものではなく、以降の特許請求の範囲によって定められるものである。発明保護の範囲は、請求項の発明特定事項の全ての均等物を含んでいる。それぞれの請求項は、さらなる開示として、明細書の中に組み込まれており、かつ、請求項は本発明開示の実施例である。本発明開示における参考文献の説明は、それが従来技術であることを認めるものではない。特に、発行日が本特許出願の優先日以降であるあらゆる参考文献がそうである。本発明開示において引用される全ての特許、特許出願、および、刊行物に係る開示は、それらが本発明開示に対して典型的、手続上、または、他の詳細な補足を提供する限り、ここにおいて参照として包含されている。
【００４６】
本発明開示において、いくつかの実施例が提供されてきたが、開示されたシステムおよび方法は、本発明開示の真意または範囲から逸脱することなく、他の多くの所定の形式において実施され得ることが理解されよう。本発明の実施例は、説明的なものであって、限定的なものではないと考えられるべきであり、かつ、本発明の意図は、ここにおいて与えられた詳細に限定されない。例えば、種々のエレメントまたはコンポーネントは、別のシステムに組合わされ又は統合され、もしくは、所定の機能は、省略され又は実施されない。
【００４７】
加えて、種々の実施例において専用または別個のものとして説明され、かつ、示された技術、システム、サブシステム、および、方法は、本発明開示の範囲から逸脱することなく、他のシステム、モジュール、技術、または、方法と組合わされ又は統合されてよい。お互いに結合され、または、直接的に結合され、もしくは、つながっているものとして示され、または、説明された他のアイテムは、いくつかのインターフェイス、デバイス、または、中間コンポーネントを通じて、電気的、機械的、または、それ以外のいずれかで、間接的に結合され、または、つながってよい。変更、代用、および、代替に係る他の実施例は、当業者によって発見され得るものであり、かつ、ここにおいて開示された真意および範囲から逸脱することなく行われ得るものである。
【図１】
0005996808.tif 000002
【図２Ａ】
0005996808.tif 000003
【図２Ｂ】
0005996808.tif 000004
【図２Ｃ】
0005996808.tif 000005
【図３】
0005996808.tif 000006
【図４】
0005996808.tif 000007
【図５Ａ】
0005996808.tif 000008
【図５Ｂ】
0005996808.tif 000009
【図５Ｃ】
0005996808.tif 000010
【図６Ａ】
0005996808.tif 000011
【図６Ｂ】
0005996808.tif 000012
【図６Ｃ】
0005996808.tif 000013
【図６Ｄ】
0005996808.tif 000014
【図６Ｅ】
0005996808.tif 000015
【図６Ｆ】
0005996808.tif 000016
【図６Ｇ】
0005996808.tif 000017
【図７Ａ】
0005996808.tif 000018
【図７Ｂ】
0005996808.tif 000019
【図７Ｃ】
0005996808.tif 000020
【図８Ａ】
0005996808.tif 000021
【図８Ｂ】
0005996808.tif 000022
【図８Ｃ】
0005996808.tif 000023
【図８Ｄ】
0005996808.tif 000024
【図９Ａ】
0005996808.tif 000025
【図９Ｂ】
0005996808.tif 000026
【図９Ｃ】
0005996808.tif 000027
【図１０Ａ】
0005996808.tif 000028
【図１０Ｂ】
0005996808.tif 000029
【図１１Ａ】
0005996808.tif 000030
【図１１Ｂ】
0005996808.tif 000031
【図１１Ｃ】
0005996808.tif 000032
【図１１Ｄ】
0005996808.tif 000033
【図１１Ｅ】
0005996808.tif 000034
【図１２Ａ】
0005996808.tif 000035
【図１２Ｂ】
0005996808.tif 000036